(57)【要約】      （修正有） 【課題】編集内容に制限を受けることなく、表示用編集画像データを生成し、表示用編集画像データを用いて表示した表示状態と、元画像データに同様に補正内容の補正処理を施した場合の印刷状態との差異を低減する。【解決手段】写真印刷注文装置は、原画像データに基づく画像の写真印刷の注文を行う写真印刷注文装置であって、記録メディアから当該記録メディアに記録される原画像データを取得し画像処理を行う制御装置と、この制御装置の制御により表示画像を表示する表示装置とを備える。制御装置は、原画像データを画像編集する画像編集手段と、画像データから前記表示装置に縮小表示するための画像表示用データを生成する表示用画像生成手段と、画像編集手段による画像編集において原画像データから編集画像データを生成するための編集データおよび、表示用画像生成手段が編集画像データから生成した編集画像表示用データを記録する記録手段とを有する。【選択図】図１
2008186199.tif 000002
【特許請求の範囲】
【請求項１】
原画像データに基づく画像の写真印刷の注文を行う写真印刷注文装置であって、
記録メディアから当該記録メディアに記録される原画像データを取得し画像処理を行う制御装置と、
前記制御装置の制御により表示画像を表示する表示装置とを備え、
前記制御装置は、
前記原画像データを画像編集する画像編集手段と、
画像データから前記表示装置に縮小表示するための画像表示用データを生成する表示用画像生成手段と、
前記画像編集手段による画像編集において原画像データから編集画像データを生成するための編集データおよび、前記表示用画像生成手段が編集画像データから生成した編集画像表示用データを記録する記録手段とを有し、
前記表示装置は、原画像表示用データおよび編集画像表示用データを用いて原画像および編集画像を表示することを特徴とする、写真印刷注文装置。
【請求項２】
前記制御装置は、前記記録手段による前記編集画像表示用データの記録において、既に記録される原画像表示用データに追加して記録する追加記録と、前記原画像表示用データに代えて編集画像表示用データを書き換えて記録する書き換え記録とを選択自在であることを特徴とする、請求項１に記載の写真印刷注文装置。
【請求項３】
前記制御装置の制御により画像を印刷する印刷装置を備え、
前記制御装置は、前記記録メディアから取得した原画像データを用いて印刷装置に原画像を印刷させ、
前記記録メディアから取得した原画像データと前記記録手段から読み出した前記編集データを用いて編集画像を印刷することを特徴とする、請求項１又は２に記載の写真印刷注文装置。
【発明の詳細な説明】
【技術分野】
【０００１】
本発明は、写真印刷注文装置に関し、記録メディアから取得した画像データを用いて写真を印刷する際に、印刷画像を注文する装置に関する。
【背景技術】
【０００２】
各種記録メディアに画像データを記録させており、この記録メディアから画像データを読み取って写真印刷を行う写真印刷装置が知られている。この記録メディアとして、例えば、miniSD（商標）、ＳＤ（商標）、スマートメディア（商標）、メモリースティック（商標）、MMC（商標）、RS-MMC（商標）、xD−Picture Card（商標）、コンパクトフラッシュ（登録商標）、マイクロドライブ（登録商標）等の半導体メモリや磁気ディスクを用いたメモリカードがある。
【０００３】
記録メディアから読み込んだ複数の画像から印刷させたい画像を選択させて写真印刷の注文を受け付け、写真印刷装置を用いて写真を印刷する装置が開発されている（特許文献１，２参照）。
【０００４】
特許文献１には、ディスクに記録されているインデックス画像データを読み出し、読み出したインデックス画像データと選択画面とを合成してなる選択画像を表示させ、この選択画像に対応する画像データを用いて画像を形成することが示されている。
【０００５】
また。特許文献２には、複数種類の記録媒体を対応するコネクタに接続する際に、記録媒体を対応するコネクタに案内する手段を設ける構成が示されている。
【０００６】
さらに、読み込んだ画像データに各種加工・編集を施す機能を有するものが開発されている（特許文献３，４参照）。
【０００７】
例えば、特許文献３には、記録媒体に記録された写真画像の印刷を行うプリント自動販売機において、写真画像を各種印刷パターンに従って加工して印刷することが示されている。印刷パターンとしては、例えば、「カレンダ」印刷、「マルチ」印刷、「フレーム」印刷、「手書き」印刷、「美肌」印刷、「色合い」印刷凹の合成印刷がある。また、ＤＰＯＦの設定によって記録された印刷注文情報に従って画像印刷を行い、インデックス画像を作成してインデックスプリントを行うことも示されている。
【０００８】
また、特許文献４には、原画像とこの原画像を補正して得られる補正画像についてそれぞれ表示用画像の画像データを生成して表示し、選択された画像について原画像データと補正データとを用いて印刷することが示されている。
【特許文献１】特開平０６−１９７３０４号公報
【特許文献２】特開平１０−３４１３０３号公報
【特許文献３】特開２００４−３４５９７号公報
【特許文献４】特開２００５−３２６４７６号公報
【発明の開示】
【発明が解決しようとする課題】
【０００９】
上記した特許文献１〜３に示される装置では、画像編集は記録メディアから読み込んだ元画像に対して加工・編集することで行い、加工・編集後には元画像が残らないため、加工・編集前の元画像と加工・編集済みの画像とを同一表示画面に表示することができず、加工・編集後においては元画像を表示することができないという問題がある。
【００１０】
また、同じ元画像に対して別の加工・編集を行うには、再度記録メディアから元画像データを読み込みこんで加工・編集を行う必要があり、また、この別の加工・編集が行われた画像と先に加工・編集した画像とを同一表示画面上に表示することができないという問題もある。
【００１１】
上述した特許文献４では、加工・編集前の元画像の画像データを記録しておくとともに、原画像データをサムネイル処理して表示用基本画像データを生成し、さらに、この表示用基本画像データの補正処理を施した表示用補正画像データを生成する構成が示されている。図２０はこの特許文献４の概略構成を示す図である。図２０において、画像処理装置２１０は、記録メディア２００から原画像データ２０１を取得して格納し、この原画像データ２０１をサムネイル処理２１１によって縮小表示する表示用基本画像データ２０２を生成して格納する。さらに、補正を行う場合には、補正処理２１２によって表示用基本画像データ２０２に補正を施して表示用補正画像データ２０３を生成し、補正設定データ２０４とともに格納する。
【００１２】
表示装置２１３には表示用基本画像データ２０２と表示用補正画像データ２０３が表示される。また、印刷装置２１４は、原画像データ２０１と補正設定データ２０４とを用いて画像印刷を行う。
【００１３】
上述した特許文献４によれば、補正前の元画像と補正済みの画像とを同一表示画面に表示することや、異なる補正を施した複数の補正画像を同一表示画面に表示することが可能となる。
【００１４】
しかしながら、この特許文献４の構成では、補正画像を表示画面に表示するための表示用補正画像データ２０３は、表示用基本画像データ２０２に対して補正を施すことで得られるため、元の画像データに対して施す補正と同じ補正を施すことができず、補正内容が制限されるという問題がある。
【００１５】
さらに、表示用基本画像データは縮小表示するためにデータ量が制限されているため、表示用補正画像データ２０３を用いて表示した表示状態と、元画像データに同様に補正内容の補正処理を施した場合の印刷状態とに差異が生じるおそれがあり、また、表示用補正画像データ２０３に基づいて得られた補正設定データ２０４を用いて元画像データに補正処理を施した場合の印刷状態との間においても差異が生じるおそれがある。
【００１６】
そこで、本発明は従来の問題を解決し、編集内容に制限を受けることなく、表示用編集画像データを生成することを目的とする。
【００１７】
また、表示用編集画像データを用いて表示した表示状態と、元画像データに同様に補正内容の補正処理を施した場合の印刷状態との差異を低減することを目的とする。
【課題を解決するための手段】
【００１８】
本発明の写真印刷注文装置は、原画像データに基づいて編集画像表示用データを生成することによって、編集内容に制限を受けることなく、表示用編集画像データを生成することができる。また、生成した編集画像表示用データと原画像表示用データとをともに記録することによって、表示用編集画像データを用いて表示した表示状態と、元画像データに同様に補正内容の補正処理を施した場合の印刷状態との差異を低減することができる。
【００１９】
本発明の写真印刷注文装置は、原画像データに基づく画像の写真印刷の注文を行う写真印刷注文装置であって、記録メディアから当該記録メディアに記録される原画像データを取得し画像処理を行う制御装置と、この制御装置の制御により表示画像を表示する表示装置とを備える。
【００２０】
本発明の制御装置は、原画像データを画像編集する画像編集手段と、画像データから前記表示装置に縮小表示するための画像表示用データを生成する表示用画像生成手段と、画像編集手段による画像編集において原画像データから編集画像データを生成するための編集データおよび、表示用画像生成手段が編集画像データから生成した編集画像表示用データを記録する記録手段とを有する。
【００２１】
画像編集手段は、原画像データを編集内容に応じて画像編集する。本発明の写真印刷注文装置は、画像編集で得られた編集画像データに代えて、編集画像データを得るために原画像データに施す画像編集に用いる画像編集データを記録する。編集画像は、原画像データと画像編集データとを用いることで生成することができる。画像編集データは編集画像データよりもデータ量が少なくてすむため、編集画像データに代えて画像編集データを記録することで記録容量を減らすことができる。表示装置は、原画像表示用データおよび編集画像表示用データを用いて原画像および編集画像を表示する。
【００２２】
表示用画像生成手段は、表示装置に縮小表示するために、サムネイル処理等の画像処理によって画像データから画像表示用データを生成する。表示用画像生成手段は、処理データが原画像データの場合には原画像表示用データを生成し、処理データが編集画像データの場合には編集画像表示用データを生成する。
【００２３】
なお、記録メディアに予め原画像表示用データが格納されている場合には、表示用画像生成手段による原画像表示用データの生成は不要となる。
【００２４】
本発明の制御装置は、記録手段による編集画像表示用データの記録において、既に記録される原画像表示用データに追加して記録する追加記録と、原画像表示用データに代えて編集画像表示用データを書き換えて記録する書き換え記録とを選択自在とすることができる。
【００２５】
追加記録を選択した場合には、既に記録される原画像表示用データは削除されることなく、元から記録されている原画像表示用データに加えて、生成された編集画像表示用データも記録される。これによれば、記録手段には、同じ原画像データを元にして生成された原画像表示用データと編集画像表示用データが記録されるため、表示装置の同一表示画面に原画像と編集画像とを表示することができる。また、複数の編集画像表示用データを記録することもでき、この場合には、表示装置の同一表示画面に原画像と複数の編集画像とを表示することができる。
【００２６】
書き換え記録を選択した場合には、既に記録される原画像表示用データは削除され、生成された編集画像表示用データが記録される。
【００２７】
追加記録と書き換え記録とを選択自在とすることで、必要に応じた表示形態とすることができる。
【００２８】
また、本発明の写真印刷注文装置は、制御装置の制御により画像を印刷する印刷装置を備える。制御装置は、記録メディアから取得した原画像データを用いて印刷装置に原画像を印刷させる他、記録メディアから取得した原画像データと記録手段から読み出した編集データを用いて編集画像を印刷することができる。
【発明の効果】
【００２９】
本発明の写真印刷注文装置によれば、編集内容に制限を受けることなく、表示用編集画像データを生成することができる。
【００３０】
また、表示用編集画像データを用いて表示した表示状態と、元画像データに同様に補正内容の補正処理を施した場合の印刷状態との差異を低減することができる。
【発明を実施するための最良の形態】
【００３１】
以下、本発明の写真印刷注文装置について図を用いて詳細に説明する。
【００３２】
図１は本発明の写真印刷注文装置の概略構成を説明するための図であり、図２、図３は本発明の写真印刷注文装置の画像処理の機能を説明するための図であり、図４〜図６は本発明の写真印刷注文装置による動作の手順を説明するためのフローチャートであり、図７〜図１２は本発明の写真印刷注文装置による各動作におけるデータの状態を説明するための図であり、図１３〜図１８は本発明の写真印刷注文装置による各動作における表示状態を説明するための図であり、図１９は本発明の写真印刷注文装置の構成例を説明するための図である。
【００３３】
はじめに、図１を用いて本発明の写真印刷注文装置１の概略構成について説明する。なお、ここで示す構成例は一例であって、この構成に限るものではない。
【００３４】
図１において、写真印刷注文装置１は、記録メディア１００に記録されている画像データを取り込み、この画像データの中から印刷を希望する画像を利用者に選択させて写真印刷を行わせる注文を行う装置であり、記録メディア１００を挿入し、記録メディア１００から記録されている画像データを取り込む取り込み部２０と、入力した画像データを用いて写真印刷の注文に係わる操作を画面上で指示するための表示装置１３と、印刷する画像を選択したり、選択した画像の編集を指示する入力部と、注文に応じて写真印刷を行う印刷部（図示していない）と、印刷した写真を出力する出力部３０を備える。なお、ここでは、表示装置１３をタッチパネル付きの表示装置とすることで、入力部と表示装置１３と兼ねた構成としている。
【００３５】
これらの各構成部は、筐体内に設けることができる。図１では、表示装置１３を筐体の上方位置に配置し、出力部３０を筐体の下方位置に配置し、取り込み部２０を表示装置１３と出力部３０の間に配置する構成を示している。これらの各部の配置は、図１に示す構成に限るものではなく、他の配置構成としてもよい。
【００３６】
記録メディア１００は、種々の記録媒体が知られている。例えば、miniSD（商標）、ＳＤ（商標）、スマートメディア（商標）、メモリースティック（商標）、MMC（商標）、RS-MMC（商標）、xD−Picture Card（商標）、コンパクトフラッシュ（登録商標）、ＵＳＢメモリ等の半導体メモリや、マイクロドライブ（登録商標）等の磁気ディスク等のカード状の記録媒体や、ＣＤ−Ｒ、ＣＤ―ＲＷ、ＣＤ−ＲＯＭ、ＤＶＤ等のディスク状の記録媒体のものが知られている。また、ＵＳＢケーブル等を用いてカメラダイレクト接続によって、デジタルカメラ等の画像機器から画像データを取り込むものも知られている。
【００３７】
ここでは、半導体メモリや磁気ディスクを用いたカード状の記録媒体をメモリカード１００Ａと表記し、ＣＤ−Ｒ、ＣＤ―ＲＷ、ＣＤ−ＲＯＭ、ＤＶＤ等の記録媒体をコンパクトディスク１００Ｂと表記する。
【００３８】
取り込み部２０は、メモリカード１００Ａに記録される画像データを取り込む構成として、メモリカード１００Ａ本体を差し込む差し込み口２１、差し込んだメモリカード１００Ａと接続して画像データを読み取るコネクタ（図示していない）等を備え、また、コンパクトディスク１００Ｂに記録される画像データを取り込む構成として、コンパクトディスク１００Ｂ本体を載置して挿入するトレイ２２、トレイ２２に載置したコンパクトディスク１００Ｂから画像データを読み取る読み取り機構（図示していない）等を備える。
【００３９】
また、記録メディア１００は、上述したメモリカード１００Ａやコンパクトディスク１００Ｂの他に通信端末１００Ｃを用いることができる。通信端末１００Ｃは、通信端末が備える赤外線通信や近距離通信の通信機能を用いてワイヤレスで画像データを送信する。取り込み部２０は、このワイヤレス通信を受信する受信部２３を備え、通信端末１００Ｃから送信された画像データを受信して取り込みを行う。
【００４０】
通信端末１００Ｃは、ワイヤレス通信によって画像データを送信する他に、画像データをメモリカード１００Ａに書き込み、このメモリカード１００Ａを取り出し、差し込み口２１に差し込むようにしてもよい。
【００４１】
出力部３０は取り出し口を有し、筐体内に内蔵する印刷部で印刷した印刷物を出力する。図１では、複数の取り出し口を有し、印刷サイズや印刷物の画像内容等に応じて、出力する取り出し口を選択する構成とすることができる。なお、取り出し口は複数の取り出し口に限らず、一つの取り出し口から出力するようにしてもよい。
【００４２】
図２は本発明の機能を説明するための概略構成を示す図である。図２において、本発明の写真印刷注文装置１が備える制御部１０は、記録メディア１００から原画像データ１０１を取得する。
【００４３】
表示画像形成部１１は、取得した原画像データに例えばサムネイル処理を施し、表示装置１３に縮小表示するための表示用基本画像データを生成する。生成した表示用基本画像データは記録手段１６の表示用基本画像データ部１０２Ａに記録する。なお、表示用基本画像データは、原画像データ１０１を表示画像形成部１１でサムネイル処理して形成する他、記録メディア１００に予め記録されている場合には、この記録メディア１００から読み取ることで直接に取得してもよい。
【００４４】
表示装置１３は、表示用基本画像データを用いて原画像を縮小表示する他、原画像に種々の編集を施して得た編集画像についても縮小表示することができる。この場合には、記録メディア１００から取得した原画像データを画像編集処理部１２で所定の編集を行って編集画像データを形成し、編集後の編集画像データを表示画像形成部１１で縮小処理することで表示用編集画像データを形成し、この表示用編集画像データを表示装置１３で表示する。表示用編集画像データは、記録手段１６の表示用編集画像データ部１０３Ａに記録する。また、画像編集処理部１２において画像編集を行う際に、原画像データに施した編集内容を記述する編集データについても記憶手段１６の編集データ部１０４Ａに記録する。
【００４５】
これによって、表示装置１３は、原画像を縮小表示する他、編集画像を縮小表示することができ、また、原画像と編集画像との両画像を表示することができる。
【００４６】
印刷装置１４は、原画像や編集画像を写真印刷する。原画像を印刷する場合には、印刷装置１４は記録メディア１００から原画像データ１０１を取得し、印刷画像処理部１４ａで印刷用の画像処理を行った後、印刷処理部１４ｂで印刷を行う。また、編集画像を印刷する場合には、印刷装置１４は記録メディア１００から原画像データ１０１を取得するとともに、記録手段１６から編集データを取得し、印刷画像処理部１４ａにおいて原画像データ１０１と編集データとを用いて編集画像を形成して印刷用の画像処理を行った後、印刷処理部１４ｂで印刷を行う。
【００４７】
図３は、本発明の写真印刷注文装置が備える制御装置の概略構成を示す図である。ここで、記録メディア１００は、原画像データ１０１とこの原画像データを縮小表示するための表示用画像データ１０２が記録されているものとする。
【００４８】
制御装置１０は、原画像を表示装置１３に縮小表示するために、原画像データにサムネイル処理等の画像処理を施す表示画像形成部１１、種々の画像編集機能の中から選択した画像編集処理を画像データに施して編集画像データを形成する画像編集部１２、表示画像データ（表示用原画像データ、表示用編集画像データ）、編集データを記録する記録手段１６、記録手段１６との間でデータの読み出しや書き込みを行う読み出し／書き込み部１５等を備える。
【００４９】
制御装置１０は、記録メディア１００から原画像データ１０１および表示用画像データ１０２を読み込む。画像編集部１２は、読み込んだ原画像データ１０１に対して所定の画像編集を施して編集画像データを形成する。画像編集部１２が行う画像編集機能は、画像編集部１２が備える種々の画像編集機能の中から利用者によって選択することができる。表示画像形成部１１は、画像編集部１２で形成された編集画像データを、表示装置１３に縮小表示するための表示用編集画像データに変換する。読み出し／書き込み部１５は、表示用編集画像データを記録手段１６の表示用編集画像データ部１０３Ａに書き込んで格納する。
【００５０】
また、読み出し／書き込み部１５は、編集処理において編集画像を形成するために原画像データに付与される編集データを画像編集部１２から取得し、記録手段１６の編集データ部１０４Ａに書き込んで格納する。
【００５１】
これによって、上述した表示用画像データや編集データは、記録手段１６の表示用原画像データ部１０２Ａ、表示用編集画像データ部１０３Ａ、および編集データ部１０４Ａに格納される。なお、これら各データは、同一の原画像に関連するデータについては関連付けが成されており、同じ原画像から派生した表示用編集画像データ１０３および編集データ１０４を読み出すことができる。
【００５２】
また、読み出し／書き込み部１５は、記録手段１６に対する通常の読み出し／書き込み機能を備え、表示用原画像データ部１０２Ａおよび表示用編集画像データ部１０３Ａに各表示用画像データを書き込むか否かを選択することができる他、記録手段１６に記録する画像データを選択的に削除することもできる。
【００５３】
表示装置１３は、読み出し／書き込み部１５によって、記録手段１６の表示用原画像データ部１０２Ａや表示用編集画像データ部１０３Ａから各表示用画像データを読み出して表示する。また、表示装置１３は、この画像表示において、記録手段１６に格納される表示画像の中から何れの画像を表示するか、複数の画像を表示する際の表示順等の表示態様を設定することができる。また、表示装置１３は、画像編集部１２から編集中の画像データを取得して表示するようにしてもよい。
【００５４】
印刷装置１４は、印刷の選択において原画像が選択された場合には、選択された原画像の原画像データ１０１を記録メディア１００から取り込んで原画像を印刷する。また、印刷の選択において編集画像が選択された場合には、選択された編集画像の元である原画像の原画像データ１０１を記録メディア１００から取り込むとともに、その原画像を編集する編集データを記録手段１６から読み出し、この編集データによって原画像データ１０１を編集して編集画像データを形成し印刷を行う。
【００５５】
また、印刷装置１４は、記録手段１６から表示用原画像データや表示用編集画像データを読み出し、これらの表示用画像データを用いて縮小した画像の印刷を行うこともできる。
【００５６】
制御装置１０は、入力装置１７を備える。この入力装置１７は、制御装置１０が行う各種制御における制御内容を選択し指定するものであり、単独の装置で構成する他、タッチパネル付き表示装置のように表示装置に入力機能を付加した構成としてもよい。
【００５７】
入力装置１７は、例えば、画像編集部１２に対して何れの画像に対して画像編集を行うかの画像選択、複数種の画像機能の中から何れの画像編集を行うかの画像編集機能の選択を指示したり、記録手段１６に記録する表示画像の選択を指示したり、印刷を行う画像の選択や印刷枚数や印刷サイズの選択等を指示する。
【００５８】
この各種選択は、例えば、制御装置１０の制御によって表示装置１３上に選択画面を表示し、入力装置１７による選択を案内することで行うことができる。
【００５９】
制御装置１０は、図示しないＲＯＭあるいはハードディスクに制御プログラムを格納し、ＣＰＵによって実行することで上述した各種制御を行うことができる。
【００６０】
次に、本発明の写真印刷注文装置１の動作例について、図４〜図６のフローチャートに従い、合わせて図７〜図１２の各動作のデータ状態を説明する図および、図１３〜図１８の各動作における表示状態を説明する図を用いて説明する。ここでは、主に制御装置の動作について示す。なお、以下に示す動作例は一例であってこれに限られるものではない。
【００６１】
はじめに、制御装置１は記録メディア１００から原画像データ１０１を取得する。この原画像データ１０１の取得は、記録メディア１００がメモリカード１００Ａである場合には、このメモリカード１００Ａを取り込み部２０の差し込み口２１に差し込んでコネクタに接続することによって行い、記録メディア１００がコンパクトディスク１００Ｂである場合には、このコンパクトディスク１００Ｂを取り込み部２０のトレイ２２に載置して挿入し、読み取り機構で読み取ることによって行う。
【００６２】
図１３は表示装置１３に表示する表示画面の一例である。なお、以下で説明する表示画面は、タッチパネル付きの表示装置のように、入力機能を有した表示装置の構成について説明する。この構成では、表示画面に設けられた入力部分を指等で押圧することで所定の動作を選択し入力することができる。なお、制御装置には、この表示装置の表示機能および入力機能を制御するプログラムをＲＯＭあるいはハードディスクに格納し、このプログラムをＣＰＵで実行することによって、表示装置１３の表示画面上に画像表示や文字表示等の所定の表示を行うとともに、入力操作を行う。
【００６３】
図１３（ａ）に示す表示画面は、写真印刷注文装置１の注文操作を開始する最初の画面表示であり、例えば、“スタート”の文字が表示される。この“スタート”の文字部分あるいは表示画面に何れかの部分を押圧することで注文動作が開始される。
【００６４】
注文動作が開始されると、記録メディア１００の取り込み部２０への挿入を案内する表示を表示画面上に表示する。図１３（ｂ）はこの案内表示の一例を示している。
【００６５】
また、通信端末１００Ｃによって、赤外線通信や近距離通信の通信機能を用いたワイヤレスで行う場合には、受信部２３によって送信された画像データを取得する。
【００６６】
なお、ここでは、ワイヤレスによって画像データを取得する案内については図示していないが、図１３（ｂ）の案内表示と同様に表示画面上に案内表示を行うことができる（Ｓ１）。
【００６７】
制御装置１０は、表示用画データを用いて表示装置１３に画像表示する。この画像表示では、印刷に用いる画像データよりもデータ量を縮小した表示用画像データを用いて縮小表示する。
【００６８】
記録メディア１００中に原画像データ１０１の他に表示用原画像データ１０２（サムネイル画像データ）が予め記録されている場合には、制御装置１０はこの表示用原画像データ１０２を取得し（Ｓ３）、この表示用原画像データ１０２を用いて表示装置１３に表示する。この画像表示は、写真印刷を行う画像を選択させるためであり、通常は複数枚の画像を表示し、その中から写真印刷を行う画像を選択させる。なお、表示用原画像はサムネイル画像とも呼ばれる（Ｓ６）。
【００６９】
一方、記録メディア１００中に表示用原画像データ１０２（サムネイル画像データ）が記録されていない場合には、制御装置１０は取得した原画像データ１０１から表示用画像データを生成し（Ｓ４）、生成した表示用原画像データを記録手段１６の表示用原画像データ部１０２Ａに記録し（Ｓ５）、表示装置１３に表示する。
【００７０】
図１４は、印刷および編集を行う画像を選択するための案内表示の一例である。図１４（ａ）には、複数の表示用原画像を表示した例を示している。なお、ここでは、記録メディアから取得した５枚の原画像を縮小表示した例を示している。図示する例では、縮小表示した画像を横方向に並べて配置し、各画像には全枚数中の何枚目であるか（例えば、全ｍ枚中のｎ枚目）を例えば（ｎ／ｍ）の表記によって上端位置に示し、注文枚数と増減（＋、−）の指示を下端位置に示している。また、縮小表示する配列の両端には、他の画像を表示させるための案内指示（ここでは、矢印）が表示されている。この案内指示を操作することによって、画面表示されていない残りの画像を順に表示することができる。
【００７１】
また、表示画面の下端には、操作中止を指示する案内指示（例えば、“やめる”）、次の操作に進めるための案内指示（例えば、“次へ”）、印刷枚数の増減を指示する案内指示（例えば、“減らす”、“戻す”、“増やす”）等が表示され、この案内指示を操作することによって、指示内容を実行させることができる。
【００７２】
図１４（ｂ）は、図１４（ａ）の表示状態において印刷対象とした後の表示状態を示し、選択した画像について、そのまま印刷を行うかあるいは編集を行うかを選択させる案内表示を示している。図１４（ｂ）の案内表示において、“編集”が選択された場合には、制御装置は選択画像を編集する処理に進み、“印刷”が選択された場合には、選択画像をそのまま印刷する処理に進む（Ｓ６）。
【００７３】
本発明の写真印刷注文装置１は、原画像データ１０１に基づいて原画像を写真印刷する他に、原画像に種々の編集を施して編集画像データを形成する機能を有し、この編集画像についても写真印刷を行うことができる。画像編集を行う場合には、表示装置１３に表示した画像の中から編集を行う画像を選択させるとともに、編集内容を選択させる（Ｓ７）。この編集対象の画像および編集内容の選択は、入力装置１７によって行うことができる。
【００７４】
画像編集部１２は、入力装置１７で入力して選択された編集対象画像の選択情報、および編集内容の選択情報を取得し（Ｓ８，Ｓ９）、この選択情報に基づいて原画像データ１０１を編集して編集画像データおよび編集データを形成する。
【００７５】
編集内容は、例えば、フレームと画像を組み合わせるフレーム作成編集、日付を組み込む日付編集、コントラストを調整するコントラスト編集、濃度を調整する濃度編集、色調を調整する色調編集、画像にぼかしを加えるぼかし編集、輪郭を抽出する輪郭編集、画像を変形させる変形編集等、種々の編集を行うことができ、また、これらの編集を組み合わせるようにしてもよい。編集データについては、記録手段１６の編集データ部１０４Ａに格納する。
【００７６】
図１５（ａ）は編集する画像の選択を案内する表示画面の一例である。ここでは、２番目の画像を選択した状態を示している。画像の選択は、例えば、縮小表示された画像部分を押圧することで行うことができる。
【００７７】
図１５（ｂ）は編集内容を案内する表示画面の一例である。ここでは、選択した画像について、いずれの編集を行うかを選択させる。編集内容の選択は、例えば、編集内容が表示された部分を押圧することで行うことができる。図１６（ａ）は、編集内容の一例としてフレーム形成を選択した場合を示している（Ｓ１０）。
【００７８】
表示画像形成部１１は、画像編集部１２で画像編集して得られた編集画像データから表示用編集画像データを生成し、記録手段１６の表示用編集画像データ部１０３Ａ内に格納する（Ｓ１１）。Ｓ８〜Ｓ１１の編集処理は繰り返して行うことができる。
【００７９】
図７は１回目の編集状態を示している。ここでは、記録メディア１００にＮ個の原画像データＡ〜Ｎと、この原画像を縮小表示するための表示用原画像データａ〜ｎが記録されているものとする。制御装置は、記録メディア１００から表示用原画像データａ〜ｎを読み込んで記録手段１６の表示用画像データ部１０２Ａに記録する。
【００８０】
ここで、読み込んだ原画像データＡについて画像編集を行う場合には、画像編集部１２によって原画像データＡに対してノイズ除去等の基本的な編集を行った後、画像編集を行って編集画像データＡ１を生成する。この画像編集部１２の画像編集に伴って得られる編集データαおよびα１を記録手段１６の編集データ部１０４Ａに記録する。なお、編集データαは基本的な編集を行う際の編集データであり、編集データα１は選択した編集内容の画像編集を行う際の編集データである。また、画像編集により形成された編集画像データＡ１は、表示用画像形成手段１１によって表示用編集画像データａ１に変換され、表示用編集画像データ部１０３Ａに格納される。
【００８１】
図８は、原画像データＡに対して複数回の画像編集を行った場合の状態を示している。なお、図８では４回目の画像編集を行う場合について示している。原画像データＡについて複数回の画像編集を行う場合には、画像編集部１２によって原画像データＡあるいは先に編集して得られた編集画像データに対して画像編集を行って編集画像データＡ４を生成する。この画像編集部１２の画像編集に伴って得られる編集データα４を記録手段１６の編集データ部１０４Ａに記録する。なお、編集データα４は選択した編集内容の画像編集を行う際の編集データである。また、画像編集により形成された編集画像データＡ４は、表示用画像形成手段１１によって表示用編集画像データａ４に変換され、表示用編集画像データ部１０３Ａに格納される。
【００８２】
図９は、原画像データＡ〜原画像データＮに対して複数回の画像編集を行った場合の状態を示している。なお、図９では、原画像データＡに対しては４回目の画像編集を行い、原画像データＢに対しては３回目の画像編集を行い、原画像データＣに対しては２回目の画像編集を行い、原画像データＮに対しては４回目の画像編集を行った場合について示している。画像編集部１２の画像編集に伴って得られる各編集データは記録手段１６の編集データ部１０４Ａに記録する。また、画像編集により形成された編集画像データは、表示用画像形成手段１１によって表示用編集画像データに変換され、表示用編集画像データ部１０３Ａに格納される。
【００８３】
次に、表示用画像データの置き換え、追加、および廃棄の各処理を行う。これらの各処理は、表示用画像データの記録処理に係わるものであって、置き換え処理は、後で形成した表示用画像データを先に形成した表示用画像データに代えて置き換えて記録する処理であり、追加処理は、後で形成した表示用画像データを先に形成した表示用画像データとともに追加して記録する処理であり、また、廃棄処理は、形成した表示用画像データや記録される表示用画像データを消去して廃棄する処理である。
【００８４】
前記したＳ１２までの工程によって形成された表示用画像データについて、置き換え、追加、廃棄の何れの処理を行うかを選択する。この選択は、表示装置１３に表示される案内に従って入力手段１７から行うことができる。
【００８５】
図１６（ｂ）は、表示用画像データの置き換えと追加との何れかを選択させる表示画面の一例である。ここでは、編集した画像について、元の画像を残して追加するか、あるいは、元の画像を消して編集した画像に置き換えるかを選択させる。
【００８６】
置き換えあるいは追加の選択は、例えば、選択内容が表示された部分を押圧することで行うことができる（Ｓ１３）。
【００８７】
置き換え処理を行う場合には（Ｓ１３）、表示画面上において、先に形成した画像を消すとともに、後に形成した画像を表示し、また、記録手段１６において、先に形成した表示用画像データを消去するとともに、後に形成した表示用画像データを記録する。ここで、先の画像としては、原画像あるいは編集画像いずれの画像とすることもできる。先の画像が原画像である場合には、原画像および原画像データを消し（Ｓ１４）、編集画像を表示し編集画像データを記録する（Ｓ１５）。また、先の画像が編集画像である場合には、先の編集画像および編集画像データを消し、後に形成した編集画像を表示し編集画像データを記録する。
【００８８】
図１０は、置き換え処理におけるデータ状態を説明するための図である。図１０は、表示用編集画像データａ４を表示用編集画像データａ４´に置き換える場合を示している。図９において、表示用編集画像データ部１０３Ａには、原画像データＡの表示用編集画像データとしてａ１〜ａ４が記録され、編集画像を形成するための編集データとしてα１〜α４が記録されている。
【００８９】
このとき、画像編集部１２において原画像データＡを画像編集して編集画像データＡ４´および編集データα４´を形成する。次いで、表示画像形成部１１によってこの編集画像データＡ４´を表示用編集画像データａ４´に変換する。
【００９０】
表示用編集画像データａ４を表示用編集画像データａ４´に置き換える場合には、記録手段１６に記録する表示用編集画像データａ４に代えて表示用編集画像データａ４´を書き換えるとともに、編集データをα４からα４´に書き換える。
【００９１】
追加処理を行う場合には（Ｓ１３）、表示画面上において、先に形成した画像の表示に加えて後に形成した画像を表示し（Ｓ１６）、また、記録手段１６において、先に形成した表示用画像データに加えて後に形成した表示用画像データを記録する（Ｓ１７）。
【００９２】
置き換え処理および追加処理を行った場合には、画像編集において生成される編集データを記録手段１６に記録する（Ｓ１８）。
【００９３】
図１１は、追加処理におけるデータ状態を説明するための図である。図１１は、表示用編集画像データｂを追加する場合を示している。図９において、表示用編集画像データ１０３Ａには、原画像データＢの表示用編集画像データとしてｂ１，ｂ２，ｂ４が記録され、編集画像を形成するための編集データとしてβ１，β２，β４が記録されている。
【００９４】
このとき、画像編集部１２において原画像データＢを画像編集して編集画像データＢ３´および編集データβ３´を形成する。次いで、表示画像形成部１１によってこの編集画像データＢ３´を表示用編集画像データｂ３´に変換する。
【００９５】
追加処理は、表示用編集画像データｂ３と編集データβ３´を記録手段１６に記録することで行う。
【００９６】
また、廃棄処理を行う場合には（Ｓ１３）、形成した表示用編集画像データを廃棄するとともに（Ｓ１９）、画像編集において生成される編集データについても廃棄する（Ｓ２０）。
【００９７】
図１２は、廃棄処理におけるデータ状態を説明するための図である。図１２は、表示用編集画像データｃ３を廃棄する場合を示している。図９において、表示用編集画像データ部１０３Ａには、原画像データＣの表示用編集画像データとしてｃ１，ｃ３が記録され、編集画像を形成するための編集データとしてγ１，γ３が記録されている。
【００９８】
このとき、画像編集部１２において表示用編集画像データｃ３を削除する処理を行う場合には、表示用編集画像データｃ３と編集データγ３を削除する。
【００９９】
次に、編集が終了した後（Ｓ２１）、あるいは前記したＳ７の工程において編集を行わない場合には、印刷の工程に進む。なお、編集を終了しない場合には（Ｓ２１）、Ｓ８の工程に戻って編集を再開する。
【０１００】
印刷工程では、表示画面上に表示される原画像あるいは編集画像を参照して、写真印刷を行う画像を選択する（Ｓ２２）。なお、この印刷画像の選択工程において、選択を行わない場合には、Ｓ３８の工程に進む。
【０１０１】
この印刷画像の選択において、原画像を選択した場合には（Ｓ２３）、選択した原画像の原画像データを記録メディア１００から読み込む（Ｓ２４）。一方、この印刷画像の選択において、編集像を選択した場合には（Ｓ２３）、選択した編集画像の元の原画像データを記録メディア１００から読み込むとともに（Ｓ２５）、編集データを記録手段１６から読み込む（Ｓ２６）。
【０１０２】
原画像データ、あるいは原画像データおよび編集データを取得した後、印刷対象の画像の印刷枚数データを取得する。この印刷枚数データは、表示装置１３に表示した案内に従って入力装置１７から入力させることで取得することができる（Ｓ２７）。
【０１０３】
上記したＳ２２〜Ｓ２７の工程によって得られた、写真印刷を行う画像や印刷枚数等の各情報に基づいて写真印刷の注文内容を確認するための印刷画像確認画面を形成し、表示装置１３に表示する。
【０１０４】
図１７は印刷画像確認画面の一例である。図１７（ａ）は、編集画像として３／８、５／８、８／８で表示される画像を追加したときの印刷画像確認画面である。３／８の画像は元の２／５の原画像にフレームを付加する編集を行った編集画像であり、５／８の画像は元の３／５の原画像に濃度調整の編集を行った編集画像であり、８／８の画像は元の５／５の原画像を左右反転させる変形編集を行った編集画像である。この画面例では追加のみを行って原画像の削除は行っていない。
【０１０５】
一方、図１７（ｂ）は、編集画像として２／７で表示される画像を置き換え、４／７、７／７で表示される画像を追加したときの印刷画像確認画面である。２／７の画像は元の２／５の原画像を削除し、フレームを付加する編集を行った編集画像に置き換えたものである。また、４／７の画像は元の３／５の原画像に濃度調整の編集を行った編集画像であり、７／７の画像は元の５／５の原画像を左右反転させる変形編集を行った編集画像である（Ｓ２８）。
【０１０６】
利用者は、この印刷画像確認画面に表示された写真印刷の注文内容を確認し、注文を完了する。注文の確認は、印刷画像確認画面に表示した確認釦等を押圧することで指示することができる（Ｓ２９）。Ｓ２９の編集終了工程において、編集を終了しない場合には、Ｓ２３の工程に戻って編集を再開する。
【０１０７】
写真印刷の注文が完了した後、制御装置は注文データを生成し（Ｓ３０）、表示装置１３に注文確認画面を表示する。注文データとしては、写真印刷を行う対象画像を特定するデータや印刷サイズのデータ、印刷枚数や印刷料金のデータ等がある。その他、印刷料金をクレジットで行う場合には、クレジット支払に要するデータを含めても良い。
【０１０８】
図１８（ａ）は注文確認画面の一例である。ここでは、印刷の用紙サイズ、単価、印刷枚数、印刷料金、印刷に要する予想時間等が表示される。この注文確認画面では、“戻る”および“印刷”の案内表示が表示され、“戻る”を押圧することで前段階に戻す指示を行い、“印刷” を押圧することで印刷動作を進める指示を行う（Ｓ３１）。
【０１０９】
利用者は、表示装置１３に表示された注文確認画面を参照し、写真印刷の注文を確認する。注文の確認は、注文確認画面に表示された案内に従って入力装置１７から行うことができる（Ｓ３２）。
【０１１０】
制御装置は注文確認を受けると、注文データを記録し（Ｓ３３）、印刷処理を実行し（Ｓ３４）、印刷済みの印刷紙を出力部３０から出力する（Ｓ３５）。印刷紙を出力した後、レシートの発行を選択させる表示を行い（Ｓ３６）、レシート発行が選択された場合にはレシートを印字して出力し（Ｓ３７）、レシート発行が選択されなかった場合には注文動作を終了する。図１８（ｂ）はレシート発行画面の一例である。このレシート発行画面では、“いいえ”および“はい”の案内表示が表示され、“いいえ”を押圧することでレシートを発行しない指示を行い、“はい” を押圧することでレシートの発行を行う指示を行う。
【０１１１】
前記Ｓ３２の注文確認工程において、注文確認が行われない場合には、注文操作を終了するか否かを選択する画面に表示する。この選択において注文操作を終了する場合には（Ｓ３９）、注文データを削除して注文動作を終了する。また、この選択において注文操作を続ける場合には（Ｓ３９）、例えば、Ｓ２３の選択画像の工程に戻って注文操作を再度行う（Ｓ３８）。
【０１１２】
図１９は、本発明の写真印刷注文装置が備える制御装置をＣＰＵ駆動する場合の概略構成を説明するための図である。
【０１１３】
図１９において、制御装置１０は、メディアリーダ１０ｂ、ドライバ１０ｃ、コネクタ１０ｄ、入出力インターフェース１０ｅ，１０ｆ、ＲＯＭ１０ｇ等をバス１０ｉを介してＣＰＵ１０ａと接続して構成される。
【０１１４】
ＲＯＭ１０ｇは、制御装置による、画像編集や画像の記録管理を含む写真印刷注文の制御を行うプログラムの他、装置全体の制御を行うプログラムを格納する不揮発性記録媒体である。この不揮発性記録媒体はＲＯＭに限らずハードディスクを用いてもよい。ＲＡＭ１０ｈは、記録メディア１００Ａから取り込んだ表示用画像データや、編集処理によって得られた表示用画像データや編集データ、あるいはプログラム処理の途中で生じるデータを一次的に記憶する記録媒体である。
【０１１５】
メディアリーダ１０ｂは、半導体メモリや磁気ディスクを用いたカード状のメモリである記録メディア１００Ａから原画像データ、サムネイル画像データ等の表示用画像データを読み込むためのデバイスである。また、ドライバ１０ｃは、コンパクトディスク等の記録メディア１００Ｂを読み取るためのデバイスである。メディアリーダ１０ｂやドライバ１０ｃは、記録メディア１００Ａ，１００Ｂから読み取ったデータをＲＡＭ１０ｈに格納する。
【０１１６】
また、画像データは記録メディア１００に限らず、通信端末等の外部装置１８等からも取得することができ、この場合にはコネクタ１０ｄによって外部装置１８との間の接続を行う。なお、コネクタ１０ｄは、外部装置１８が無線で画像を送信する場合には受信装置となる。
【０１１７】
表示／入力装置１９は、写真印刷の注文を行う際の表示と入力を行う装置であり、例えば、タッチパネル付き表示装置を用いることができる。なお、表示／入力装置１９は必ずしも一装置で構成される必要はなく、個別の装置で構成してもよい。また、印刷装置１４は、注文された画像を写真印刷する装置である。表示／入力装置１９および印刷装置１４は、入出力インターフェース１０ｅ，１０ｆによってバス１０ｉとの間でデータの送受信を行う。
【０１１８】
なお、上述した構成は一例であって、この構成に限られるものではない。
【図面の簡単な説明】
【０１１９】
【図１】本発明の写真印刷注文装置の概略構成を説明するための図である。
【図２】本発明の写真印刷注文装置の画像処理の機能を説明するための図である。
【図３】本発明の写真印刷注文装置が備える制御装置の概略構成を示す図である。
【図４】本発明の写真印刷注文装置による動作の手順を説明するためのフローチャートである。
【図５】本発明の写真印刷注文装置による動作の手順を説明するためのフローチャートである。
【図６】本発明の写真印刷注文装置による動作の手順を説明するためのフローチャートである。
【図７】本発明の写真印刷注文装置において１回目の編集状態を説明するための図である。
【図８】本発明の写真印刷注文装置において原画像データに対して複数回の画像編集を行った場合の状態を説明するための図である。
【図９】本発明の写真印刷注文装置において複数の原画像データに対して複数回の画像編集を行った場合の状態を説明するための図である。
【図１０】本発明の写真印刷注文装置において置き換え処理のデータ状態を説明するための図である。
【図１１】本発明の写真印刷注文装置において追加処理のデータ状態を説明するための図である。
【図１２】本発明の写真印刷注文装置において廃棄処理のデータ状態を説明するための図である。
【図１３】本発明の写真印刷注文装置の表示装置に表示する表示画面の一例である。
【図１４】本発明の写真印刷注文装置の表示装置に表示する印刷および編集を行う画像を選択するための案内表示の一例である。
【図１５】本発明の写真印刷注文装置の表示装置に表示する編集画像、編集内容を案内する表示画面の一例である。
【図１６】本発明の写真印刷注文装置の表示装置において置き換えと追加との何れかを選択させる表示画面の一例である。
【図１７】本発明の写真印刷注文装置の表示装置の印刷画像確認画面の一例である。
【図１８】本発明の写真印刷注文装置の表示装置の注文確認画面の一例である。
【図１９】本発明の写真印刷注文装置が備える制御装置をＣＰＵ駆動する場合の概略構成を説明するための図である。
【図２０】従来技術の概略構成を説明するための図である。
【符号の説明】
【０１２０】
１  写真印刷注文装置
１０  制御装置
１０ａ  ＣＰＵ
１０ｂ  メディアリーダ
１０ｃ  ドライバ
１０ｄ  コネクタ
１０ｅ，１０ｆ  入出力インターフェース
１０ｇ  ＲＯＭ
１０ｈ  ＲＡＭ
１１  表示画像形成部
１２  画像編集部
１３  表示装置
１４  印刷装置
１４ａ  画像処理部
１４ｂ  印刷処理部
１５  読み出し／書き込み部
１６  記録手段
１７  入力装置
１８  外部装置
１９  入力／表示装置
２０  取り込み部
２１  差し込み口
２２  トレイ
２３  受信部
３０  出力部
１００  記録メディア
１００Ａ  メモリカード
１００Ｂ  コンパクトディスク
１００Ｃ  通信端末
１０１  原画像データ
１０２  表示用原画像データ
１０２Ａ  表示用原画像データ部
１０３  表示用編集画像データ
１０３Ａ  表示用編集画像データ部
１０４  編集データ
１０４Ａ  編集データ部
２００  記録メディア
２０１  原画像データ
２０２  表示用基本画像データ
２０３  表示用補正画像データ
２０４  補正設定データ
２１０  画像処理装置
２１１  サムネイル処理
２１２  補正処理
２１３  表示装置
２１４  印刷装置
ａ〜ｎ  表示用原画像データ
ａ１〜ａ４  表示用編集画像データ
α、α１〜α４  編集データ
【図１】
2008186199.tif 000003
【図２】
2008186199.tif 000004
【図３】
2008186199.tif 000005
【図４】
2008186199.tif 000006
【図５】
2008186199.tif 000007
【図６】
2008186199.tif 000008
【図７】
2008186199.tif 000009
【図８】
2008186199.tif 000010
【図９】
2008186199.tif 000011
【図１０】
2008186199.tif 000012
【図１１】
2008186199.tif 000013
【図１２】
2008186199.tif 000014
【図１９】
2008186199.tif 000015
【図２０】
2008186199.tif 000016
【図１３】
2008186199.tif 000017
【図１４】
2008186199.tif 000018
【図１５】
2008186199.tif 000019
【図１６】
2008186199.tif 000020
【図１７】
2008186199.tif 000021
【図１８】
2008186199.tif 000022